(57)【要約】      （修正有）【課題】被記録媒体を加熱する加熱部による過剰加熱を抑制する記録装置を提供する。【解決手段】被記録媒体Ｐを挟持して搬送方向Ａ及び搬送方向Ａと逆方向に搬送可能な搬送部９と、搬送方向Ａにおける搬送部９の挟持位置４２よりも下流側において、被記録媒体Ｐに記録する記録部１２と、搬送方向Ａにおける搬送部９の挟持位置４２よりも下流側において、被記録媒体Ｐを加熱する加熱部３２と、搬送方向Ａにおける加熱部３２による加熱領域Ｉ１〜Ｉ２のうちの加熱ピーク位置Ｉｐよりも下流側において、被記録媒体Ｐをカットするカット部３０と、カット部によりカットされた際に、カット部３０よりも搬送方向Ａにおける上流側に位置する先端部Ｐ１が、搬送方向Ａにおける加熱ピーク位置Ｉｐよりも上流側であって挟持位置４２よりも下流側の戻し位置４１に位置するように、被記録媒体Ｐを前記逆方向に搬送するよう搬送部を制御する制御部とを備える。【選択図】図４
2015147392.tif 000002
【特許請求の範囲】
【請求項１】
被記録媒体を挟持して搬送方向及び前記搬送方向と逆方向に搬送可能な搬送部と、
前記搬送方向における前記搬送部の挟持位置よりも下流側において、前記被記録媒体に記録する記録部と、
前記搬送方向における前記搬送部の挟持位置よりも下流側において、前記被記録媒体を加熱する加熱部と、
前記搬送方向における前記加熱部による加熱領域のうちの加熱ピーク位置よりも下流側において、前記被記録媒体をカットするカット部と、
前記カット部によりカットされた際に、前記カット部よりも前記搬送方向における上流側に位置する前記被記録媒体の前記搬送方向の先端部が、前記搬送方向における前記加熱ピーク位置よりも上流側であって前記挟持位置よりも下流側の戻し位置に位置するように、前記被記録媒体を前記逆方向に搬送するよう前記搬送部を制御する制御部と、
を備えることを特徴とする記録装置。
【請求項２】
請求項１に記載の記録装置において、
前記被記録媒体の温度を検出する温度検出部を備え、
前記温度検出部の温度検出領域は、前記加熱領域のうちの前記搬送方向における前記挟持位置よりも下流側であって前記搬送方向における前記加熱ピーク位置よりも上流側の領域を含み、
前記制御部は、記録データが入力されると、前記被記録媒体が前記温度検出部の温度検出領域に至るように前記被記録媒体を前記戻し位置から搬送するよう前記搬送部を制御することを特徴とする記録装置。
【請求項３】
請求項１又は２に記載の記録装置において、
前記制御部は、記録データが入力されると、前記加熱領域の加熱を開始するよう前記加熱部を制御することを特徴とする記録装置。
【請求項４】
請求項２に記載の記録装置において、
前記制御部は、
前記温度検出領域の前記被記録媒体の温度が所定温度に達してから前記被記録媒体を前記記録部による記録領域に搬送するよう前記搬送部を制御し、
前記記録領域に搬送された前記被記録媒体に対して前記記録データに基づいて記録するよう前記記録部を制御することを特徴とする記録装置。
【請求項５】
請求項１から４のいずれか１項に記載の記録装置において、
前記記録部による記録領域を含む範囲において前記被記録媒体を支持する媒体支持部と、
前記被記録媒体を前記媒体支持部に向けて押さえる押さえ部材と、を備え、
前記押さえ部材は、前記戻し位置の前記先端部を押さえることが可能であることを特徴とする記録装置。
【請求項６】
請求項１から５のいずれか１項に記載の記録装置において、
前記制御部は、前記先端部が前記戻し位置に位置する際において前記被記録媒体のうちの前記搬送方向における前記挟持位置よりも下流側に位置する部分の少なくとも一部に対して、記録しないよう制御することを特徴とする記録装置。
【請求項７】
請求項１から６のいずれか１項に記載の記録装置において、
前記搬送方向における前記搬送部の挟持位置よりも上流側において、前記被記録媒体をプレ加熱するプレ加熱部を備えることを特徴とする記録装置。
【請求項８】
請求項７に記載の記録装置において、
前記プレ加熱部は、前記被記録媒体と接触して前記被記録媒体を加熱する構成であることを特徴とする記録装置。
【請求項９】
請求項８に記載の記録装置において、
前記プレ加熱部は、前記被記録媒体と接触面で接触し、
前記接触面は、曲面であることを特徴とする記録装置。
【請求項１０】
被記録媒体を挟持して搬送方向及び前記搬送方向と逆方向に搬送可能な搬送部と、
前記搬送方向における前記搬送部の挟持位置よりも下流側において、前記被記録媒体に記録する記録部と、
前記搬送方向における前記搬送部の挟持位置よりも下流側において、前記被記録媒体を加熱する加熱部と、
前記搬送方向における前記加熱部による加熱領域のうちの加熱ピーク位置よりも下流側において、前記被記録媒体をカットするカット部と、を備える記録装置における加熱部による過剰加熱抑制方法であって、
前記カット部によりカットされた際に、前記カット部よりも前記搬送方向における上流側に位置する前記被記録媒体の前記搬送方向の先端部が、前記搬送方向における前記加熱ピーク位置よりも上流側であって前記挟持位置よりも下流側の戻し位置に位置するように、前記被記録媒体を前記逆方向に搬送することを特徴とする加熱部による過剰加熱抑制方法。
【請求項１１】
被記録媒体を搬送方向及び前記搬送方向と逆方向に搬送可能な搬送部と、
前記搬送方向における前記搬送部よりも下流側において、前記被記録媒体に記録する記録部と、
前記搬送方向における前記搬送部よりも下流側において、前記被記録媒体を加熱する加熱部と、
前記搬送方向における前記加熱部による加熱領域のうちの加熱ピーク位置よりも下流側において、前記被記録媒体をカットするカット部と、
前記カット部によりカットされた際に、前記カット部よりも前記搬送方向における上流側に位置する前記被記録媒体の前記搬送方向の先端部が、前記搬送方向における前記加熱ピーク位置よりも上流側であって前記搬送部よりも下流側の戻し位置に位置するように、前記被記録媒体を前記逆方向に搬送するよう前記搬送部を制御する制御部と、
を備えることを特徴とする記録装置。
【発明の詳細な説明】
【技術分野】
【０００１】
本発明は、記録装置及び加熱部による過剰加熱抑制方法に関する。
【背景技術】
【０００２】
従来から、被記録媒体に画像を形成する記録装置が使用されている。このような記録装置のうち、例えば、特許文献１には、被記録媒体としてのチケット用紙を切断可能なカッターを備え、カッターにより切断されたチケット用紙をフィード方向とは逆方向にバックフィードして該チケット用紙に記録することが可能な記録装置が開示されている。  
また、特許文献２には、被記録媒体を加熱可能な加熱部を備える記録装置が開示されている。
【先行技術文献】
【特許文献】
【０００３】
【特許文献１】特開２００２−１２７５１９号公報
【特許文献２】特開２０１２−４５８５５号公報
【発明の概要】
【発明が解決しようとする課題】
【０００４】
しかしながら、特許文献２で開示されるような、被記録媒体を加熱可能な加熱部を備える記録装置においては、加熱部による被記録媒体の過剰加熱により、被記録媒体にダメージを与えてしまう場合があった。特に、被記録媒体への記録が終了した後に、加熱部による加熱領域に被記録媒体が位置し続けることにより、加熱領域に位置する部分が伸びる等、該被記録媒体にダメージを与えてしまう場合があった。このダメージを受けた部分に記録すると記録画像の品質は低下する。  
なお、特許文献１の記録装置は、カッターにより切断されたチケット用紙を記録位置までバックフィードすることが可能な構成になっているにすぎない。すなわち、特許文献２で開示されるような被記録媒体を加熱可能な加熱部を備える記録装置に、特許文献１で開示される技術を組み合わせても、加熱部による被記録媒体の過剰加熱を抑制する構成にはならない。
【０００５】
そこで、本発明の目的は、被記録媒体を加熱する加熱部による過剰加熱を抑制することである。
【課題を解決するための手段】
【０００６】
上記課題を解決するための本発明の第１の記録装置は、被記録媒体を挟持して搬送方向及び前記搬送方向と逆方向に搬送可能な搬送部と、前記搬送方向における前記搬送部の挟持位置よりも下流側において、前記被記録媒体に記録する記録部と、前記搬送方向における前記搬送部の挟持位置よりも下流側において、前記被記録媒体を加熱する加熱部と、前記搬送方向における前記加熱部による加熱領域のうちの加熱ピーク位置よりも下流側において、前記被記録媒体をカットするカット部と、前記カット部によりカットされた際に前記搬送方向における上流側に位置する前記被記録媒体の前記搬送方向の先端部が、前記搬送方向における前記加熱ピーク位置よりも上流側であって前記挟持位置よりも下流側の戻し位置に位置するように、前記被記録媒体を前記逆方向に搬送するよう前記搬送部を制御する制御部と、を備えることを特徴とする。
【０００７】
ここで、「前記搬送方向における前記搬送部の挟持位置よりも下流側において、前記被記録媒体を加熱する加熱部」とは、前記加熱領域のうちの前記加熱ピーク位置が前記搬送方向における前記搬送部の挟持位置よりも下流側に在ればよいことを意味する。このため、前記加熱領域のうちの一部が前記搬送方向における前記搬送部の挟持位置よりも上流側に在ってもよい。  
本態様によれば、前記制御部は、前記先端部が前記戻し位置に位置するように、前記被記録媒体を前記逆方向に搬送するよう前記搬送部を制御する。前記戻し位置は前記搬送方向における前記加熱ピーク位置よりも上流側であって前記挟持位置よりも下流側なので、前記逆方向に搬送された前記被記録媒体が前記加熱ピーク位置で加熱されることを抑制することができる。したがって、前記被記録媒体が前記加熱部によって過剰加熱されることを抑制することができる。  
なお、「加熱ピーク位置」とは、前記加熱領域のうちの前記加熱部による加熱温度がピークとなる位置を意味する。
【０００８】
本発明の第２の態様の記録装置は、前記第１の態様において、前記被記録媒体の温度を検出する温度検出部を備え、前記温度検出部の温度検出領域は、前記加熱領域のうちの前記搬送方向における前記挟持位置よりも下流側であって前記搬送方向における前記加熱ピーク位置よりも上流側の領域を含み、前記制御部は、記録データが入力されると、前記被記録媒体が前記温度検出部の温度検出領域に至るように前記被記録媒体を前記戻し位置から搬送するよう前記搬送部を制御することを特徴とする。
【０００９】
本態様によれば、前記温度検出部を備える。このため、前記温度検出部で前記被記録媒体の温度管理をすることにより、前記被記録媒体が前記加熱部によって過剰加熱されることを抑制することが可能になる。  
また、本態様によれば、前記制御部は、記録データが入力されると、前記被記録媒体が前記温度検出部の温度検出領域に至るように前記被記録媒体を前記戻し位置から搬送するよう前記搬送部を制御する。すなわち、記録データの入力前に前記被記録媒体が前記加熱ピーク位置で加熱されることにより過剰加熱されることを抑制することが可能になる。  
また、本態様によれば、前記温度検出領域は、前記搬送方向における前記挟持位置よりも下流側であって前記搬送方向における前記加熱ピーク位置よりも上流側を含むので、前記記録部による記録領域までの距離を短く構成することができる。すなわち、前記戻し位置から記録開始位置までの前記被記録媒体を搬送する距離を短く構成することができる。このため、前記温度検出領域で検出した際の温度と前記記録領域まで搬送された際の温度との差を小さくすることができる。
【００１０】
本発明の第３の態様の記録装置は、前記第１又は第２の態様において、前記制御部は、記録データが入力されると、前記加熱領域の加熱を開始するよう前記加熱部を制御することを特徴とする。
【００１１】
本態様によれば、前記制御部は、記録データが入力されると、前記加熱領域の加熱を開始するよう前記加熱部を制御する。すなわち、記録データの入力前に前記被記録媒体が前記加熱ピーク位置で加熱されることにより過剰加熱されることを効果的に抑制することが可能になる。
【００１２】
本発明の第４の態様の記録装置は、前記第２の態様において、前記制御部は、前記温度検出領域の前記被記録媒体の温度が所定温度に達してから前記被記録媒体を前記記録部による記録領域に搬送するよう前記搬送部を制御し、前記記録領域に搬送された前記被記録媒体に対して前記記録データに基づいて記録するよう前記記録部を制御することを特徴とする。
【００１３】
本態様によれば、前記制御部は、前記温度検出領域の前記被記録媒体の温度が所定温度に達してから前記被記録媒体を前記記録領域に搬送するよう前記搬送部を制御し、前記記録領域に搬送された前記被記録媒体に対して前記記録データに基づいて記録するよう前記記録部を制御する。このため、前記所定温度となり好ましい記録条件となった前記被記録媒体に対して記録することができる。このため、前記記録部による記録によって形成される記録画像を高品質にすることができる。
【００１４】
本発明の第５の態様の記録装置は、前記第１から第４のいずれか１つの態様において、前記記録部による記録領域を含む範囲において前記被記録媒体を支持する媒体支持部と、前記被記録媒体を前記媒体支持部に向けて押さえる押さえ部材と、を備え、前記押さえ部材は、前記戻し位置の前記先端部を押さえることが可能であることを特徴とする。
【００１５】
本態様によれば、前記押さえ部材を備えるため搬送精度を高くすることができる。  
また、本態様によれば、前記押さえ部材は前記戻し位置の前記先端部を押さえることが可能である。このため、前記押さえ部材が前記戻し位置の前記先端部を押さえていない状態から前記搬送方向に前記被記録媒体を搬送することにより前記被記録媒体が前記押さえ部材に引っかかり搬送精度が低下するということを抑制することができる。
【００１６】
本発明の第６の態様の記録装置は、前記第１から第５のいずれか１つの態様において、前記制御部は、前記先端部が前記戻し位置に位置する際において前記被記録媒体のうちの前記搬送方向における前記挟持位置よりも下流側に位置する部分の少なくとも一部に対して、記録しないよう制御することを特徴とする。
【００１７】
ここで、前記先端部が前記戻し位置に位置する際において前記被記録媒体のうちの前記搬送方向における前記挟持位置よりも下流側に位置する部分は、前記加熱ピーク位置からは外れているものの前記加熱領域に該当する場合がある。このため、前記先端部が前記戻し位置に位置する際において前記部分が過剰加熱されている虞がある。  
一方、本態様によれば、前記制御部は、前記部分の少なくとも一部に対して記録しないよう制御する。すなわち、例え、前記先端部が前記戻し位置に位置する際において前記部分が過剰加熱されていても、前記部分に記録することを抑制することができる。したがって、過剰加熱された前記部分に記録することにより記録画像の品質が低下するということを抑制することができる。
【００１８】
本発明の第７の態様の記録装置は、前記第１から第６のいずれか１つの態様において、前記搬送方向における前記搬送部の挟持位置よりも上流側において、前記被記録媒体をプレ加熱するプレ加熱部を備えることを特徴とする。
【００１９】
本態様によれば、前記プレ加熱部を備える。このため、前記加熱領域に前記被記録媒体が至る前に該被記録媒体をプレ加熱でき、前記加熱領域で急激に加熱することにより前記被記録媒体にダメージを与えることを抑制することができる。
【００２０】
本発明の第８の態様の記録装置は、前記第７の態様において、前記プレ加熱部は、前記被記録媒体と接触して前記被記録媒体を加熱する構成であることを特徴とする。
【００２１】
本態様によれば、前記プレ加熱部は、前記被記録媒体と接触して前記被記録媒体を加熱する構成である。このため、前記被記録媒体と非接触のタイプの前記プレ加熱部を使用する場合よりも装置のコンパクト化が容易になる。
【００２２】
本発明の第９の態様の記録装置は、前記第８の態様において、前記プレ加熱部は、前記被記録媒体と接触面で接触し、前記接触面は、曲面であることを特徴とする。
【００２３】
本態様によれば、前記接触面は曲面である。このため、前記接触面が曲面でない構成の前記プレ加熱部を使用する場合よりも装置のコンパクト化が容易になる。
【００２４】
本発明の第１０の態様の加熱部による過剰加熱抑制方法は、被記録媒体を挟持して搬送方向及び前記搬送方向と逆方向に搬送可能な搬送部と、前記搬送方向における前記搬送部の挟持位置よりも下流側において、前記被記録媒体に記録する記録部と、前記搬送方向における前記搬送部の挟持位置よりも下流側において、前記被記録媒体を加熱する加熱部と、前記搬送方向における前記加熱部による加熱領域のうちの加熱ピーク位置よりも下流側において、前記被記録媒体をカットするカット部と、を備える記録装置における加熱部による過剰加熱抑制方法であって、前記カット部によりカットされた際に前記搬送方向における上流側に位置する前記被記録媒体の前記搬送方向の先端部が、前記搬送方向における前記加熱ピーク位置よりも上流側であって前記挟持位置よりも下流側の戻し位置に位置するように、前記被記録媒体を前記逆方向に搬送することを特徴とする。
【００２５】
本態様によれば、前記先端部が前記戻し位置に位置するように、前記被記録媒体を前記逆方向に搬送する。前記戻し位置は前記搬送方向における前記加熱ピーク位置よりも上流側であって前記挟持位置よりも下流側なので、前記逆方向に搬送された前記被記録媒体が前記加熱ピーク位置で加熱されることを抑制することができる。したがって、前記被記録媒体が前記加熱部によって過剰加熱されることを抑制することができる。
【００２６】
本発明の第１１の態様の記録装置は、被記録媒体を搬送方向及び前記搬送方向と逆方向に搬送可能な搬送部と、前記搬送方向における前記搬送部よりも下流側において、前記被記録媒体に記録する記録部と、前記搬送方向における前記搬送部よりも下流側において、前記被記録媒体を加熱する加熱部と、前記搬送方向における前記加熱部による加熱領域のうちの加熱ピーク位置よりも下流側において、前記被記録媒体をカットするカット部と、前記カット部によりカットされた際に、前記カット部よりも前記搬送方向における上流側に位置する前記被記録媒体の前記搬送方向の先端部が、前記搬送方向における前記加熱ピーク位置よりも上流側であって前記搬送部よりも下流側の戻し位置に位置するように、前記被記録媒体を前記逆方向に搬送するよう前記搬送部を制御する制御部と、を備えることを特徴とする。
【００２７】
本態様によれば、前記制御部は、前記先端部が前記戻し位置に位置するように、前記被記録媒体を前記逆方向に搬送するよう前記搬送部を制御する。前記戻し位置は前記搬送方向における前記加熱ピーク位置よりも上流側であって前記挟持位置よりも下流側なので、前記逆方向に搬送された前記被記録媒体が前記加熱ピーク位置で加熱されることを抑制することができる。したがって、前記被記録媒体が前記加熱部によって過剰加熱されることを抑制することができる。
【図面の簡単な説明】
【００２８】
【図１】本発明の一実施例に係る記録装置を表す概略側面図。
【図２】本発明の一実施例に係る記録装置のブロック図。
【図３】本発明の一実施例に係る記録装置の要部を表す概略側面図。
【図４】本発明の一実施例に係る記録装置の要部を表す概略側面図。
【図５】本発明の一実施例に係る記録装置の要部を表す概略側面図。
【図６】本発明の一実施例に係る記録装置の要部を表す概略斜視図。
【図７】本発明の一実施例に係る加熱部による過剰加熱抑制方法のフローチャート。
【発明を実施するための形態】
【００２９】
以下に、本発明の一実施例に係る記録装置について、添付図面を参照して詳細に説明する。
【００３０】
［記録装置の実施例］（図１〜図６）  
最初に、本実施例の記録装置１における概要について説明する。  
図１は本発明の一実施例に係る記録装置１を表す概略側面図である。
【００３１】
図１で表されるように、本実施例の記録装置１は、被記録媒体Ｐのセット部１４から、被記録媒体Ｐの支持部であるプラテン２、プラテン３及びプラテン４を介して、被記録媒体Ｐの巻取部１５まで、被記録媒体Ｐを搬送方向Ａに搬送する。すなわち、セット部１４から巻取部１５までが記録装置１における被記録媒体Ｐの搬送経路であり、プラテン２、プラテン３及びプラテン４は該搬送経路に設けられた被記録媒体Ｐの支持部である。なお、セット部１４は回転方向Ｃに回転して被記録媒体Ｐを送出し、巻取部１５は回転方向Ｃに回転して被記録媒体Ｐを巻き取る。
【００３２】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。単票状の被記録媒体Ｐに記録を行うことが可能な構成である場合、被記録媒体Ｐのセット部１４として、例えば、所謂、給紙（給送）トレイ及び給紙（給送）カセットなどと呼ばれるものを使用してもよい。また、被記録媒体Ｐの回収部として、巻取部１５以外の回収部として、例えば、所謂、排出用受部、排紙（排出）トレイ及び排紙（排出）カセットなどと呼ばれるものを使用してもよい。
【００３３】
なお、本実施例では記録面が外側になるように巻かれているロール式の被記録媒体Ｐを使用しているので、被記録媒体Ｐをセット部１４から送出する際、セット部１４の回転軸は回転方向Ｃに回転する。一方、記録面が内側になるように巻かれているロール式の被記録媒体Ｐを使用する場合は、セット部１４の回転軸は回転方向Ｃとは逆回転して送出することが可能である。  
そして、同様に、本実施例の巻取部１５は被記録媒体Ｐの記録面が外側になるように巻き取るので、巻取部１５の回転軸は回転方向Ｃに回転する。一方、記録面が内側になるように巻き取る場合は、巻取部１５の回転軸は回転方向Ｃとは逆回転して巻き取ることが可能である。
【００３４】
本実施例の記録装置１のプラテン２にはヒーター６が設けられている。ヒーター６は、記録部としての記録ヘッド１２により記録を実行する前に被記録媒体Ｐを加熱（所謂プレ加熱）するために設けられている。  
なお、本実施例の記録装置１は、ヒーター６を用いて、被記録媒体Ｐの第１面１７（記録面とは反対側の面）側から被記録媒体Ｐをプレ加熱する構成となっている。しかしながら、例えば、被記録媒体Ｐの第２面１６（記録面）側から赤外線を照射して被記録媒体Ｐを加熱可能なヒーターを用いて、第２面１６側から被記録媒体Ｐをプレ加熱する構成としてもよい。
【００３５】
また、本実施例の記録装置１は、プラテン２とプラテン３の間に搬送方向Ａと交差する方向Ｂの回転軸を有し、被記録媒体Ｐの第１面１７に送り力を付与する駆動ローラー５が設けられている。そして、駆動ローラー５と対向する位置（上部）には方向Ｂの回転軸を有する従動ローラー７が設けられている。そして、ローラー対を構成する駆動ローラー５と従動ローラー７とで被記録媒体Ｐを挟持することができる。このような構成により、駆動ローラー５と従動ローラー７とで搬送部９を構成している。ここで、従動ローラーとは、被記録媒体Ｐの搬送に伴って回転するローラーを意味する。  
また、被記録媒体Ｐを搬送方向Ａに搬送する際は、駆動ローラー５は回転方向Ｃに回転し、従動ローラー７は回転方向Ｃとは逆方向に回転する。そして、被記録媒体Ｐを搬送方向Ａとは逆方向に搬送する際は、駆動ローラー５は回転方向Ｃとは逆方向に回転し、従動ローラー７は回転方向Ｃに回転する。  
なお、本実施例の記録装置１は、記録部に対して被記録媒体Ｐを搬送方向Ａ及び搬送方向Ａとは逆方向に搬送する構成であるが、被記録媒体Ｐに対して記録部のみを移動させる構成や、被記録媒体Ｐと記録部とを共に移動させる構成としてもよい。
【００３６】
上記のように、本実施例の記録装置１は、搬送方向Ａにおける搬送部９の挟持位置４２よりも上流側において、被記録媒体Ｐをプレ加熱するプレ加熱部としてのヒーター６を備えている。このため、後述するヒーター３２の加熱領域Ｉ１〜Ｉ２（図３参照）に被記録媒体Ｐが至る前に該被記録媒体Ｐをプレ加熱でき、加熱領域Ｉ１〜Ｉ２で急激に加熱することにより被記録媒体Ｐにダメージを与えることを抑制している。
【００３７】
また、本実施例のヒーター６は、被記録媒体Ｐと接触して被記録媒体Ｐを加熱する構成である。このため、本実施例の記録装置１は、被記録媒体Ｐと非接触のタイプのプレ加熱部を使用する記録装置よりもコンパクトに構成されている。
【００３８】
さらに、本実施例のヒーター６は被記録媒体Ｐと接触面４０で接触し、接触面４０は曲面である。このため、接触面４０が曲面でない構成のプレ加熱部を使用する記録装置よりもコンパクトに構成されている。
【００３９】
また、本実施例の記録装置１は、プラテン３と対向する側に記録部としての記録ヘッド１２が備えられている。記録装置１は、キャリッジ１１を介して搬送方向Ａと交差する方向Ｂに記録ヘッド１２を往復移動させながら、記録ヘッド１２のインク吐出面Ｆから被記録媒体Ｐにインクを吐出させて所望の画像を形成する。  
なお、本実施例の記録装置１は、往復移動しながら記録する記録ヘッド１２を備えているが、インクを吐出するノズルを搬送方向Ａと交差する方向Ｂに複数設けた所謂ラインヘッドを備える記録装置でもよい。  
ここで、「ラインヘッド」とは、被記録媒体Ｐの搬送方向Ａと交差する方向Ｂに形成されたノズルの領域が、被記録媒体Ｐの方向Ｂ全体をカバー可能なように設けられ、記録ヘッド又は被記録媒体Ｐの一方を固定し他方を移動させて画像を形成する記録装置に用いられる記録ヘッドである。なお、ラインヘッドの方向Ｂのノズルの領域は、記録装置が対応している全ての被記録媒体Ｐの方向Ｂ全体をカバー可能でなくてもよい。  
また、キャリッジ１１には、プラテン３に支持された被記録媒体Ｐを押さえる押さえ部材８と、被記録媒体Ｐと、を検出可能なセンサー１０が設けられている。
【００４０】
また、搬送方向Ａにおいて記録ヘッド１２の下流側には、記録ヘッド１２による記録領域に向けて電磁波を照射可能な加熱部としてのヒーター３２が設けられている。  
なお、本実施例のヒーター３２はプラテン３と対向する位置に設けられ、被記録媒体Ｐの第１面１７側の表面を３５℃から５０℃に加熱可能な赤外線ヒーターであるが、このようなヒーターに限定されず、プラテン３側（第２面１６側）から被記録媒体Ｐを加熱可能なヒーターを用いてもよい。ここで、好ましい赤外線の波長は０．７６〜１０００μｍである。一般的に、赤外線は波長によってさらに、近赤外線、中赤外線、遠赤外線に区分され、区分の定義は様々であるが、おおよそ波長域は、０．７８〜２．５μｍ、２．５〜４．０μｍ、４．０〜１０００μｍとなる。なかでも中赤外線を用いることが好ましい。
【００４１】
また、搬送方向Ａにおいて搬送部９の下流側であって記録ヘッド１２の上流側には、被記録媒体Ｐの温度を検出する温度検出部としてのセンサー３４が設けられている。詳細は後述するが、センサー３４は、ヒーター３２による被記録媒体Ｐの加熱領域Ｉ１〜Ｉ２（図３参照）において被記録媒体Ｐの温度を検出する。
【００４２】
ヒーター３２の被記録媒体Ｐの搬送方向Ａにおける下流側には、記録が終了した被記録媒体Ｐをカットすることが可能なカット部としてのカッター３０が設けられている。本実施例のカッター３０は、ユーザーが手動で動かすことにより、被記録媒体Ｐを方向Ｂに沿ってカットすることが可能な構成である。ただし、このような構成には限定されず、自動で被記録媒体Ｐをカットすることが可能な構成としてもよい。
【００４３】
また、ヒーター３２の被記録媒体Ｐの搬送方向Ａにおける下流側には、電磁波を照射可能なヒーター３３を備えている。ヒーター３３は、本実施例の記録装置１で用いられるインクを乾燥させるため、被記録媒体Ｐの表面を６０℃から１２０℃に加熱可能な赤外線ヒーターであるが、このような乾燥装置に限定されない。例えば、乾燥装置として、赤外線ヒーター等の加熱装置のほか、ファン等の送風装置等を使用することもできる。
【００４４】
なお、本実施例の記録装置１は、図１で表されるように、搬送部９が搬送方向Ａにおいて記録ヘッド１２の上流側に設けられている。しかしながら、搬送部９が搬送方向Ａにおいて記録ヘッド１２を挟んで両側に設けられてもよい。搬送部９が記録ヘッド１２を挟んで両側に設けられる構成では、両側において被記録媒体Ｐを挟持できるので、ジャムなどの搬送不良を効果的に抑制できる。  
なお、記録装置１の構成部材として、従来の記録装置に設けられる構成部材をさらに備えていてもよい。
【００４５】
次に、本実施例の記録装置１における電気的な構成について説明する。  
図２は、本実施例の記録装置１のブロック図である。  
制御部１８には、記録装置１の全体の制御を司るＣＰＵ１９が設けられている。ＣＰＵ１９は、システムバス２０を介して、ＣＰＵ１９が実行する各種制御プログラムやメンテナンスシーケンス等を格納したＲＯＭ２１と、データを一時的に格納可能なＲＡＭ２２と、接続されている。
【００４６】
また、ＣＰＵ１９は、システムバス２０を介して、記録ヘッド１２を駆動するためのヘッド駆動部２３と接続されている。  
また、ＣＰＵ１９は、システムバス２０を介して、キャリッジ１１を移動させるためのキャリッジモーター２５、セット部１４の駆動源である送出モーター２６、駆動ローラー５の駆動源である搬送モーター２７、巻取部１５の駆動源である巻取モーター２８、を駆動させるためのモーター駆動部２４と接続されている。  
また、ＣＰＵ１９は、システムバス２０を介して、ヒーター６、３２及び３３を駆動するためのヒーター駆動部１３と接続されている。  
さらに、ＣＰＵ１９は、システムバス２０を介して、センサー１０及び３４、記録データ等を記録装置１に入力するＰＣ２９、と接続される入出力部３１と接続されている。
【００４７】
なお、本実施例の制御部１８は、ＰＣ２９を介してユーザーがカッター３０を用いて被記録媒体Ｐをカットしたことを入力可能な構成となっている。そして、本実施例の制御部１８は、被記録媒体Ｐがカットされたことが入力されると、モーター駆動部２４及び搬送モーター２７を介して搬送部９を駆動するよう制御する。この際の搬送部９の駆動の詳細については後述する。  
なお、本実施例の記録装置１は、ＰＣ２９から被記録媒体Ｐをカッター３０でカットしたことが入力されたことに伴って搬送部９を駆動する構成である。しかしながら、記録終了に伴いカッター３０が被記録媒体Ｐを自動でカットし、カッター３０が被記録媒体Ｐをカットしたことを制御部１８が直接入力して、搬送部９を駆動する構成としてもよい。
【００４８】
次に、本実施例の記録装置１における、搬送部９による被記録媒体Ｐの挟持位置、記録ヘッド１２による記録領域、ヒーター３２による加熱領域、センサー３４による温度検出領域、カッター３０によるカット位置の位置関係について説明する。  
図３から図５は本実施例の記録装置１の要部を表す概略側面図であり、図６は本実施例の記録装置１の要部を表す概略斜視図である。詳細には、図３及び図６は、カッター３０で被記録媒体Ｐがカットされた直後の状態を表している。また、図４は、カッター３０によりカットされた際に、カッター３０よりも搬送方向Ａにおける上流側に位置する被記録媒体Ｐの搬送方向Ａの先端部Ｐ１が、戻し位置４１に位置するように被記録媒体Ｐが搬送方向Ａとは逆方向に搬送された状態を表している。そして、図５は、被記録媒体Ｐの先端部Ｐ１を含む部分がセンサー３４の温度検出領域Ｄ１〜Ｄ２に至るように先端部Ｐ１が戻し位置４１にあった状態から搬送された状態、即ち、記録開始位置に被記録媒体Ｐが搬送された状態を表している。
【００４９】
図３から図５で表されるように、記録ヘッド１２による記録領域Ｅ１〜Ｅ２は、搬送方向Ａにおいて搬送部９の挟持位置４２よりも下流側に位置している。  
また、ヒーター３２による加熱領域Ｉ１〜Ｉ２は、その大部分が、搬送方向Ａにおいて搬送部９の挟持位置４２よりも下流側に位置している。  
また、センサー３４による温度検出領域Ｄ１〜Ｄ２は、搬送方向Ａにおける挟持位置４２よりも下流側であって、その大部分が、搬送方向Ａにおけるヒーター３２による加熱領域Ｉ１〜Ｉ２のうちの加熱ピーク位置Ｉｐよりも上流側に位置している。  
また、カッター３０によるカット位置は、搬送方向Ａにおいて加熱ピーク位置Ｉｐよりも下流側に位置している。
【００５０】
ここで、上記のように、本実施例の記録装置１は、被記録媒体Ｐを挟持して搬送方向Ａ及び搬送方向Ａと逆方向に搬送可能な搬送部９を備えている。また、搬送方向Ａにおける搬送部９の挟持位置４２よりも下流側において、被記録媒体Ｐに記録する記録ヘッド１２を備えている。また、搬送方向Ａにおける搬送部９の挟持位置４２よりも下流側において、被記録媒体Ｐを加熱するヒーター３２を備えている。また、搬送方向Ａにおけるヒーター３２による加熱領域Ｉ１〜Ｉ２のうちの加熱ピーク位置Ｉｐよりも下流側において、被記録媒体Ｐをカットするカッター３０を備えている。  
そして、ＰＣ２９から被記録媒体Ｐをカッター３０でカットしたことが入力されると、図４で表されるように、本実施例の制御部１８は、先端部Ｐ１が搬送方向Ａにおける加熱ピーク位置Ｉｐよりも上流側であって挟持位置４２よりも下流側の戻し位置４１に位置するように、被記録媒体Ｐを搬送方向Ａとは逆方向に搬送するよう搬送部９を制御する。
【００５１】
ここで、「搬送方向Ａにおける搬送部９の挟持位置４２よりも下流側において、被記録媒体Ｐを加熱するヒーター３２」とは、加熱領域Ｉ１〜Ｉ２のうちの加熱ピーク位置Ｉｐが搬送方向Ａにおける搬送部９の挟持位置４２よりも下流側に在ればよいことを意味する。このため、本実施例のように、加熱領域Ｉ１〜Ｉ２のうちの一部が搬送方向Ａにおける搬送部９の挟持位置４２よりも上流側に在ってもよい。  
上記のように、本実施例の制御部１８は、先端部Ｐ１が戻し位置４１に位置するように、被記録媒体Ｐを前記逆方向に搬送するよう搬送部９を制御する。戻し位置４１は搬送方向Ａにおける加熱ピーク位置Ｉｐよりも上流側であって挟持位置４２よりも下流側なので、前記逆方向に搬送された被記録媒体Ｐが加熱ピーク位置Ｉｐで加熱されることを抑制している。したがって、被記録媒体Ｐがヒーター３２によって過剰加熱されることを抑制している。  
なお、「加熱ピーク位置Ｉｐ」とは、加熱領域Ｉ１〜Ｉ２のうちのヒーター３２による加熱温度がピークとなる位置を意味する。
【００５２】
また、上記のように、本実施例の記録装置１は、被記録媒体Ｐの温度を検出するセンサー３４を備え、センサー３４の温度検出領域Ｄ１〜Ｄ２は、加熱領域Ｉ１〜Ｉ２のうちの搬送方向Ａにおける挟持位置４２よりも下流側であって搬送方向Ａにおける加熱ピーク位置Ｉｐよりも上流側の領域を含む。  
そして、図５で表されるように、本実施例の制御部１８は、ＰＣ２９から記録データが入力されると、被記録媒体Ｐがセンサー３４の温度検出領域Ｄ１〜Ｄ２に至るように被記録媒体Ｐを戻し位置４１から搬送するよう搬送部９を制御する。
【００５３】
本実施例の記録装置１はセンサー３４を備えるので、センサー３４で被記録媒体Ｐの温度管理をすることにより、被記録媒体Ｐがヒーター３２によって過剰加熱されることを抑制できる。  
また、本実施例の制御部１８は、記録データが入力されると、被記録媒体Ｐを戻し位置４１から温度検出領域Ｄ１〜Ｄ２に至るように搬送するよう搬送部９を制御する。こうして、記録データが入力される前に被記録媒体Ｐが加熱ピーク位置Ｉｐで加熱されることにより過剰加熱されることを抑制している。  
また、温度検出領域Ｄ１〜Ｄ２は、搬送方向Ａにおける挟持位置４２よりも下流側であって搬送方向Ａにおける加熱ピーク位置Ｉｐよりも上流側を含むので、記録ヘッド１２による記録領域Ｅ１〜Ｅ２までの距離が短く構成されている。すなわち、戻し位置４１から記録開始位置までの被記録媒体Ｐを搬送する距離を短く構成している。このため、温度検出領域Ｄ１〜Ｄ２で検出した際の温度と記録領域Ｅ１〜Ｅ２まで搬送された際の温度との差を小さくしている。
【００５４】
また、本実施例の制御部１８は、ＰＣ２９から記録データが入力されると、加熱領域Ｉ１〜Ｉ２の加熱を開始するようヒーター３２を制御する。  
このため、記録データが入力される前に被記録媒体Ｐが加熱ピーク位置Ｉｐで加熱されることにより過剰加熱されることを効果的に抑制している。
【００５５】
また、本実施例の制御部１８は、温度検出領域Ｄ１〜Ｄ２の被記録媒体Ｐの温度が所定温度に達してから被記録媒体Ｐを記録ヘッド１２による記録領域Ｅ１〜Ｅ２に搬送するよう搬送部９を制御し、記録領域Ｅ１〜Ｅ２に搬送された被記録媒体Ｐに対してＰＣ２９から入力された記録データに基づいて記録するよう記録ヘッド１２を制御する。  
このため、前記所定温度となり好ましい記録条件となった被記録媒体Ｐに対して記録することができる。このため、記録ヘッド１２による記録によって形成される記録画像を高品質にしている。
【００５６】
また、本実施例の制御部１８は、先端部Ｐ１が戻し位置４１に位置する際において被記録媒体Ｐのうちの搬送方向Ａにおける挟持位置４２よりも下流側に位置する部分４３の少なくとも一部に対して、記録しないよう制御することができる。  
ここで、先端部Ｐ１が戻し位置４１に位置する際において被記録媒体Ｐのうちの搬送方向Ａにおける挟持位置４２よりも下流側に位置する部分４３は、加熱ピーク位置Ｉｐからは外れているものの加熱領域Ｉ１〜Ｉ２に該当する場合がある。このため、先端部Ｐ１が戻し位置４１に位置する際において部分４３が過剰加熱されている虞がある。  
一方、本実施例の制御部１８は、部分４３の少なくとも一部に対して記録しないよう制御することができる。すなわち、例え、先端部Ｐ１が戻し位置４１に位置する際において部分４３が過剰加熱されていても、部分４３に記録することを抑制することができる。したがって、過剰加熱された部分４３に記録することにより記録画像の品質が低下するということを抑制することができる。
【００５７】
本実施例の記録装置１は、図３から図６で表されるように、プラテン３上の被記録媒体Ｐの方向Ｂの両端部分において被記録媒体Ｐを押さえることが可能な押さえ部材８を備えている。  
また、プラテン３には方向Ｂに延びる溝３６が構成されており、本実施例の押さえ部材８には規制部３７及び３９が構成されている。そして、プラテン３の搬送方向Ａにおける下流側端部３５と規制部３７とが接触し、溝３６と規制部３９とが接触するように、プラテン３に対して押さえ部材８を載せることで、プラテン３に対して押さえ部材８をセットすることができる。このようにセットすることで、押さえ部材８は、プラテン３に対して、搬送方向Ａと沿う方向に規制されつつ方向Ｂに移動可能になる。  
また、キャリッジ１１は方向Ｂに往復可能であるが、図６で表されるように、キャリッジ１１に搭載されたセンサー１０と対向するプラテン３上の位置には、センサー１０が被記録媒体Ｐと区別可能なように設けられた被検出部３８が構成されている。センサー１０は、被記録媒体Ｐと被検出部３８とを区別することにより被記録媒体Ｐの幅（方向Ｂの長さ）を検出可能である。
【００５８】
上記のように、本実施例の記録装置１は、記録ヘッド１２による記録領域Ｅ１〜Ｅ２を含む範囲において被記録媒体Ｐを支持するプラテン３と、被記録媒体Ｐをプラテン３に向けて押さえる押さえ部材８と、を備えている。  
そして、図４で表されるように、押さえ部材８は、戻し位置４１の先端部Ｐ１を押さえることが可能に構成されている。  
本実施例の記録装置１は、押さえ部材８を備えるため搬送精度が高い。  
また、押さえ部材８は戻し位置４１の先端部Ｐ１を押さえることが可能に構成されている。このため、押さえ部材８が戻し位置４１の先端部Ｐ１を押さえていない状態から搬送方向Ａに被記録媒体Ｐを搬送することにより被記録媒体Ｐが押さえ部材８に引っかかり搬送精度が低下するということを抑制している。
【００５９】
［加熱部による過剰加熱抑制方法の実施例］（図７）  
次に、上記実施例の記録装置１を用いた加熱部による過剰加熱抑制方法の実施例について説明する。  
図７は、本実施例の加熱部による過剰加熱抑制方法のフローチャートである。
【００６０】
ＰＣ２９から記録データが入力されると、本実施例の加熱部による過剰加熱抑制方法が開始される。最初に、ステップＳ１１０で、記録データに基づいて記録を行う。ステップＳ１１０と、記録データに基づく記録が終了したかどうかを判断するステップＳ１２０と、を繰り返して記録データに基づく記録が終了することに伴い、ステップＳ１３０に進む。
【００６１】
ステップＳ１３０において、ユーザーは、カッター３０を用いて手動で被記録媒体Ｐをカットし、ＰＣ２９を用いて被記録媒体Ｐをカットしたことを入力する。なお、記録データに基づく記録が終了することに伴い自動で被記録媒体Ｐをカット可能な記録装置や、被記録媒体Ｐがカットされたことを自動で認識可能な記録装置を用いてもよい。そして、ステップＳ１３０の終了後、ステップＳ１４０に進む。
【００６２】
ステップＳ１４０では、先端部Ｐ１が、搬送方向Ａにおける加熱ピーク位置Ｉｐよりも上流側であって挟持位置４２よりも下流側の戻し位置４１に位置するように、被記録媒体Ｐを搬送方向Ａとは逆方向に搬送する。そして、ステップＳ１４０の終了に伴い、本実施例の加熱部による過剰加熱抑制方法を終了する。
【００６３】
本実施例の加熱部による過剰加熱抑制方法は、ステップＳ１４０において、先端部Ｐ１が戻し位置４１に位置するように、被記録媒体Ｐを搬送方向Ａとは逆方向に搬送する。戻し位置４１は搬送方向Ａにおける加熱ピーク位置Ｉｐよりも上流側であって挟持位置４２よりも下流側なので、搬送方向Ａとは逆方向に搬送された被記録媒体Ｐが加熱ピーク位置Ｉｐで加熱されることを抑制することができる。したがって、被記録媒体Ｐがヒーター３２によって過剰加熱されることを抑制することができる。
【００６４】
搬送部９として、吸引ベルト、粘着ベルト及び静電吸着ベルト等のベルトに被記録媒体Ｐを支持させて被記録媒体Ｐを搬送するベルト方式や、ドラム（筒状体）に被記録媒体Ｐを巻きつけて搬送するドラム式のように、被記録媒体Ｐと接触して搬送する方式を採用してもよい。また、搬送部９として圧力気体を噴射して被記録媒体Ｐを浮上搬送する方式を採用してもよい。  
このような、搬送部９として、被記録媒体Ｐを挟持して搬送する搬送部以外の搬送部を備える記録装置においても、被記録媒体Ｐが加熱部によって過剰加熱されることを抑制することができる。
【符号の説明】
【００６５】
１  記録装置、２  プラテン、３  プラテン、４  プラテン、５  駆動ローラー、
６  ヒーター（プレ加熱部）、７  従動ローラー、８  押さえ部材、９  搬送部、
１０  センサー、１１  キャリッジ、１２  記録ヘッド（記録部）、
１３  ヒーター駆動部、１４  セット部、１５  巻取部、
１６  被記録媒体Ｐの第２面、１７  被記録媒体Ｐの第１面、１８  制御部、
１９  ＣＰＵ、２０  システムバス、２１  ＲＯＭ、２２  ＲＡＭ、
２３  ヘッド駆動部、２４  モーター駆動部、２５  キャリッジモーター、
２６  送出モーター、２７  搬送モーター、２８  巻取モーター、２９  ＰＣ、
３０  カッター（カット部）、３１  入出力部、３２  ヒーター（加熱部）、
３３  ヒーター、３４  センサー（温度検出部）、
３５  プラテン３の搬送方向Ａにおける下流側端部、３６  溝、３７  規制部、
３８  被検出部、３９  規制部、４０  接触面、４１  戻し位置、４２  挟持位置、
４３  先端部Ｐ１が戻し位置４１に位置する際において被記録媒体Ｐのうちの搬送方向Ａにおける挟持位置４２よりも下流側に位置する部分、Ｆ  インク吐出面、
Ｐ  被記録媒体
【図１】
2015147392.tif 000003
【図２】
2015147392.tif 000004
【図３】
2015147392.tif 000005
【図４】
2015147392.tif 000006
【図５】
2015147392.tif 000007
【図６】
2015147392.tif 000008
【図７】
2015147392.tif 000009